(57)【特許請求の範囲】
【請求項１】
クランク軸(40)の回転がカムチェーン(51)を介して伝達されて回転駆動されるカムシャフト(53)と、該カムシャフト(53)に設けられた動弁カム(53i,53e)により開閉作動される機関弁(56i,56e)と、始動時の圧縮行程時に前記機関弁(56e)を開弁するデコンプ装置(100)とを備え、クランク軸(40)を収容するクランクケース(31)，シリンダブロック(32)，シリンダヘッド(33)，シリンダヘッドカバー(34)が順次連結されて構成された内燃機関の動弁構造において、
前記動弁カム(53e)のカム面に出没自在のデコンプカム(105)を作動するデコンプウエイト(101)が、前記カムシャフト(53)の一端部または一端部近傍に遠心力により揺動可能に軸支され、
前記デコンプウエイト(101)と軸方向反対側の前記カムシャフト(53)の端部にウォータポンプ軸(121)を同軸一体に連結してウォータポンプ(120)が配設され、
前記カムシャフト(53)およびロッカシャフト(57,59)は、前記シリンダヘッドカバー(34)内にあって、前記シリンダヘッド(33)に設けられる一対のカムシャフトホルダ(53hl,53hr)に支持され、
前記カムシャフト(53)の軸方向で前記デコンプウエイト(101)側の前記カムシャフトホルダ(53hl)は、前記カムシャフト(53)の周囲に軸方向に凹んだホルダ凹部を備えて、同ホルダ凹部内であって前記カムシャフトホルダ(53hl)の直下に前記デコンプウエイト(101)が配設されることを特徴とする単気筒４ストロークの内燃機関。
【請求項２】
前記デコンプウエイト(101)と軸方向反対側の前記カムシャフト(53)の端部にカムチェーンスプロケット(54)が取り付けられ、
前記カムチェーンスプロケット(54)の中心にスプロケット凹部が形成され、
前記ウォータポンプ駆動軸(123)をベアリング(125)を介装して回転自在に軸支する円筒形状をしたポンプボディ(121)が、シリンダヘッド(33)の側壁に支持され、
前記ポンプボディ(121)のカムチェーンスプロケット(54)側端部が前記スプロケット凹部内に臨むことを特徴とする請求項１記載の単気筒４ストロークの内燃機関。
【請求項３】
前記ウォータポンプ駆動軸(123)をベアリング(125)を介装して回転自在に軸支する円筒形状をしたポンプボディ(121)が、同ポンプボディ(121)の外周面と前記シリンダヘッド(33)の側面に形成された開口内周面との間に環状のシールリング部材(128)を介して前記シリンダヘッド(33)に支持されることを特徴とする請求項１記載の単気筒４ストロークの内燃機関。
【請求項４】
前記デコンプウエイト(101)はＣ字形状をしてカムシャフト(53)を囲むとともに、該Ｃ字形状の一端側が前記動弁カム(53e)の側面に設けられた支軸(102)に軸支され、かつ他端側に前記デコンプカム(105)を作動させる作動ピン(104)が設けられ、前記支軸(102)と前記作動ピン(104)とが前記カムシャフト(53)の軸心に関して概ね互いに反対位置に設けられることを特徴とする請求項１記載の単気筒４ストロークの内燃機関。
【請求項５】
前記デコンプウエイト(101)は、前記動弁カム(53i,53e)のうち排気カム(53e)の側面に沿って揺動可能に支軸(102)により片持ち軸支され、
前記デコンプウエイト(101)が前記カムシャフト(53)の支持ベアリング(53b)に当接するワッシャ(108)と前記排気カム(53e)との間に挟まれて位置決めされることを特徴とする請求項１から請求項４までのいずれか１項記載の内燃機関の動弁構造。
【請求項６】
前記デコンプウエイト(101)は、前記カムシャフト(53)の軸方向におけるシリンダボアの幅内に配置されることを特徴とする請求項１から請求項５までのいずれか１項記載の内燃機関の動弁構造。
【請求項７】
前記デコンプウエイトは、シリンダ軸線を挟んでカムチェーンスプロケットの反対側で、かつ前記カムシャフトの挿通方向の先端に配置される請求項１から請求項６までのいずれか１項記載の内燃機関の動弁構造。
【発明の詳細な説明】
【技術分野】
【０００１】
本発明は、内燃機関のデコンプ装置を備える動弁構造に関する。
【背景技術】
【０００２】
吸気バルブや排気バルブを開閉作動するカムシャフトにデコンプ装置が取り付けられるとともに、内燃機関の所要部に冷却水を循環させるウォータポンプが、そのポンプ駆動軸をカムシャフトと同軸にしてともに回転するように配置される例がある（例えば、特許文献１参照）。
【０００３】
【特許文献１】特開２００５−３０７８４０号公報
【０００４】
同特許文献１に開示された動弁構造は、カムシャフトの端部にカムチェーンスプロケットが固着されており、クランク軸の回転がカムチェーンを介してカムチェーンスプロケットに伝達されてカムシャフトが回転する。
そして、カムシャフトを軸方向カムチェーンスプロケット側に延長した位置にデコンプ装置のデコンプウエイトとウォータポンプが順に配列されている。
【発明の開示】
【発明が解決しようとする課題】
【０００５】
このように、カムシャフトの軸方向でカムチェーンスプロケットに関して同じ側にデコンプウエイトとウォータポンプが順に並んで配設されるので、揺動するデコンプウエイトとウォータポンプが隣り合うため、互いの干渉を避けるべく軸方向の互いの間隔を空ける必要があり、よってカムシャフトを収容するシリンダヘッドの軸方向の幅が広くなり、シリンダヘッドが大型化していた。
【０００６】
本発明は、かかる点に鑑みなされたもので、その目的とする処は、デコンプ装置を備えたカムシャフトにウォータポンプをコンパクトに配設してシリンダヘッドの小型化を図ることができる内燃機関の動弁構造を供する点にある。
【課題を解決するための手段】
【０００７】
上記目的を達成するために、請求項１記載の発明は、クランク軸(40)の回転がカムチェーン(51)を介して伝達されて回転駆動されるカムシャフト(53)と、該カムシャフト(53)に設けられた動弁カム(53i,53e)により開閉作動される機関弁(56i,56e)と、始動時の圧縮行程時に前記機関弁(56e)を開弁するデコンプ装置(100)とを備え、クランク軸(40)を収容するクランクケース(31)，シリンダブロック(32)，シリンダヘッド(33)，シリンダヘッドカバー(34)が順次連結されて構成された内燃機関の動弁構造において、前記動弁カム(53e)のカム面に出没自在のデコンプカム(105)を作動するデコンプウエイト(101)が、前記カムシャフト(53)の一端部または一端部近傍に遠心力により揺動可能に軸支され、前記デコンプウエイト(101)と軸方向反対側の前記カムシャフト(53)の端部にウォータポンプ軸(121)を同軸一体に連結してウォータポンプ(120)が配設され、前記カムシャフト(53)およびロッカシャフト(57,59)は、前記シリンダヘッドカバー(34)内にあって、前記シリンダヘッド(33)に設けられる一対のカムシャフトホルダ(53hl,53hr)に支持され、前記カムシャフト(53)の軸方向で前記デコンプウエイト(101)側の前記カムシャフトホルダ(53hl)は、前記カムシャフト(53)の周囲に軸方向に凹んだホルダ凹部を備えて、同ホルダ凹部内であって前記カムシャフトホルダ(53hl)の直下に前記デコンプウエイト(101)が配設される単気筒４ストロークの内燃機関とした。
【０００８】
請求項５記載の発明は、請求項１から請求項４までのいずれか１項記載の単気筒４ストロークの内燃機関において、前記デコンプウエイト(101)は、前記動弁カム(53i,53e)のうち排気カム(53e)の側面に沿って揺動可能に支軸(102)により片持ち軸支され、前記デコンプウエイト(101)が前記カムシャフト(53)の支持ベアリング(53b)に当接するワッシャ(108)と前記排気カム(53e)との間に挟まれて位置決めされることを特徴とする。
【０００９】
請求項６記載の発明は、請求項１から請求項５までのいずれか１項記載の単気筒４ストロークの内燃機関において、前記デコンプウエイト(101)は、前記カムシャフト(53)の軸方向におけるシリンダボアの幅内に配置されることを特徴とすることを特徴とする。
【００１０】
請求項７記載の発明は、請求項１から請求項５までのいずれか１項記載の単気筒４ストロークの内燃機関において、前記デコンプウエイト(101)は、シリンダ軸線(Lc)を挟んでカムチェーンスプロケット(54)の反対側で、かつ前記カムシャフト(53)の挿通方向の先端に配置される。
【発明の効果】
【００１２】
請求項１記載の内燃機関の動弁構造によれば、デコンプウエイトと軸方向反対側のカムシャフトの端部にウォータポンプが配設されるので、揺動するデコンプウエイトとウォータポンプが軸方向互いに反対側に位置して互いの干渉を考慮して間隔を空ける必要がなく、よってカムシャフトにウォータポンプをコンパクトに配設してシリンダヘッドの小型化を図ることができる。
【００１３】
請求項５記載の単気筒４ストロークの内燃機関によれば、排気カムの側面に沿って揺動可能にデコンプウエイトが支軸により片持ち軸支されるので、両持ちで軸支する場合の一方の軸支持部材が必要なく、軸方向幅をコンパクト化することができるとともに、デコンプウエイトはカムシャフトの支持ベアリングに当接するワッシャと排気カムとの間に挟まれて位置決めされるので、デコンプウエイトのガタつきを防止してデコンプ装置の作動性を良好に維持することができる。
【００１４】
請求項６記載の単気筒４ストロークの内燃機関によれば、デコンプウエイトが、カムシャフトの軸方向におけるシリンダボアの幅内に配置されるので、シリンダヘッドの小型化を図ることができる。
【００１５】
請求項７記載の単気筒４ストロークの内燃機関によれば、デコンプウエイトが、シリンダ軸線を挟んでカムチェーンスプロケットの反対側で、かつ前記カムシャフトの挿通方向の先端に配置されるので、カムシャフトの組付性を向上させることができる。
【発明を実施するための最良の形態】
【００１７】
以下、本発明に係る一実施の形態について図１ないし図１２に基づいて説明する。
図１は、本発明を適用した一実施の形態に係るスクータ型自動二輪車１の側面図である。
【００１８】
車体前部１ｆと車体後部１ｒとが、低いフロア部１ｃを介して連結されており、車体の骨格をなす車体フレームは、概ねダウンチューブ３とメインパイプ４とからなる。
すなわち車体前部１ｆのヘッドパイプ２からダウンチューブ３が下方へ延出し、同ダウンチューブ３は下端で水平に屈曲してフロア部１ｃの下方を後方へ延び、その後端において左右一対のメインパイプ４が連結され、メインパイプ４は該連結部から斜め後方に立ち上がって所定高さで水平に屈曲して後方に延びている。
【００１９】
同メインパイプ４により燃料タンク５等が支持され、その上方にシート６が配置されている。
一方車体前部１ｆにおいては、ヘッドパイプ２に軸支されて上方にハンドル11が設けられ、下方にフロントフォーク12が延びてその下端に前輪13が軸支されている。
【００２０】
メインパイプ４の傾斜部の中央付近にブラケット15が突設され、同ブラケット15にリンク部材16を介してパワーユニット20が揺動可能に連結支持されている。
パワーユニット20は、その前部が単気筒４ストロークの水冷式内燃機関30であり、シリンダブロック32を略水平に近い状態にまで大きく前傾した姿勢にあって、そのクランクケース31の上端から前方に突出したハンガーブラケット18の端部が前記リンク部材16にピボット軸（枢支）19を介して連結されている。
【００２１】
パワーユニット20は該内燃機関30から後方にかけてベルト式無段変速機46が構成され、その後部に設けられた減速機構38の出力軸である後車軸21ａに後輪21が設けられている。
この減速機構38のあるパワーユニット20の後部に立設されたブラケット39と前記メインパイプ４の後部間にリヤクッション22が介装されている。
【００２２】
パワーユニット20の側面図である図２および同上面図である図３を参照して、パワーユニット20の上部では、内燃機関30の大きく前傾したシリンダヘッド33の上部から吸気管23が延出して後方に湾曲し、同吸気管23に接続されたスロットルボディ25がシリンダブロック32の上方に位置し、同スロットルボディ25に連結管23ｃを介して連結されるエアクリーナ26がベルト式無段変速機46の上方に配設されている。
【００２３】
なお、吸気管23には吸気ポートに向けて燃料を噴射するインジェクタ24が装着されている。
一方、シリンダヘッド33の下部から下方に延出した排気管27は、後方へ屈曲し右側に偏って後方に延びて後輪21の右側のマフラ（図示せず）に接続される。
【００２４】
車体前部１ｆは、フロントカバー９ａとレッグシールド９ｂにより前後から覆われフロントロアカバー９ｃにより下部を前方から左右側方にかけて覆われ、ハンドル11の中央部はハンドルカバー９ｄによって覆われる。
フロア部１ｃはサイドカバー９ｅにより覆われ、また車体後部１ｒは左右側方からボデイカバー10によって覆われる。
【００２５】
図４は内燃機関30の断面図（図３のIV−IV線断面図）であり、図５はパワーユニット20の断面図（図２のＶ−Ｖ線断面図）である。
内燃機関30は、シリンダブロック32のシリンダライナ44内を往復動するピストン42とクランク軸40のクランクピン40ａとをコネクティングロッド43が連結している。
クランクケース31は、左右割りの左クランクケース31Ｌと右クランクケース31Ｒとを合体して構成されるもので、右クランクケース31Ｒは、クランクケース部の半体をなし、左クランクケース31Ｌは、前部がクランクケース部の半体をなすとともに、後方に膨出して前後に長尺のベルト式無段変速機46を収容する伝動ケースを兼ねる。
【００２６】
この左クランクケース（伝動ケース）31Ｌの前後長尺の左側開放面は、伝動ケースカバー36により覆われ、内部にベルト式無段変速機46が収納される変速室46Ｃが形成され、後部の右側開放面は減速機ケース37により覆われ、内部に減速機構38が収納される。
【００２７】
図５および図６を参照して、左クランクケース31Ｌの前部と右クランクケース31Ｒとの合体による所謂クランクケース内には、クランク軸40が左右の主ベアリング41，41に回転自在に支持されて、左右水平方向に延びた延出部のうち右延出部にはカムチェーン駆動スプロケット55ａとオイルポンプ駆動ギヤ55ｂおよびＡＣジェネレータ72が設けられ、左延出部にはベルト式無段変速機46の遠心ウエイト47と駆動プーリ48ａが設けられる。
【００２８】
ベルト式無段変速機46は、駆動プーリ48ａと減速機構38の入力軸38ａに設けられる被動プーリ48ｂとにＶベルト49が掛け渡されて動力が伝達されるもので、変速比は機関回転数に応じて移動する遠心ウエイト47により駆動プーリ48ａにおけるＶベルト49の巻掛け径が変化し、同時に被動プーリ48ｂにおける巻掛け径が変化することにより自動的に変更され、無段変速する。
【００２９】
被動プーリ48ｂの回転は、遠心クラッチ35を介して減速機構38の入力軸38ａに伝達される。
減速機構38はギア機構で入力軸38ａと中間軸38ｂとの間および中間軸38ｂと後車軸21ａとの間にそれぞれギアの噛合が構成されて、入力軸38ａの回転を減速して後車軸21ａに伝え後輪21を回転駆動する。
【００３０】
図５および図６を参照して、伝動ケースカバー36の前部は、内側に凹んだ前平坦部36afを形成しており、同前平坦部36afの駆動プーリ48ａに対向する部分は冷却風導入口36ｉが形成されて、駆動プーリ48ａの左側の固定プーリ半体の左側面に設けられた冷却ファン48Ｆの回転により冷却風導入口36ｉから空気を変速室46Ｃに導入することができる。
【００３１】
この伝動ケースカバー36の凹んだ前平坦部36afにダクトカバー91が嵌装され、同ダクトカバー91を外側から覆うようにサイドカバー92が装着される。
ダクトカバー91には伝動ケースカバー36の冷却風導入口36ｉと連結する冷却風導入口91ｉが形成されるとともに、上部にルーバ91Ｌが形成されている。
【００３２】
ダクトカバー91の上部後方のルーバ91Ｌと伝動ケースカバー36の前平坦部36afとの間には、図６に示すように空隙96が形成されており、同空隙96は上方が図３の上面図に示すようにサイドカバー92の周壁92ｂの端面が長尺矩形に切り欠かれたように形成された外気導入口95となって外部と連通している。
【００３３】
内燃機関30が稼動されてクランク軸40とともに駆動プーリ48ａに設けられた冷却ファン48Ｆが回転すると、図６に冷却風の流れを破線矢印で示すように、まず冷却風は外気導入口95から空隙96に導入され、空隙96からダクトカバー91のルーバ91Ｌを通過してダクトカバー91とサイドカバー92の間の外気導入空間97に流入し、導風壁91ｄに導かれて冷却風導入口36ｉ，91ｉから変速室46Ｃに円滑に導入されベルト式無段変速機46を冷却する。
【００３４】
図５および図６を参照して、右クランクケース31Ｒのカムチェーン室52を構成する側壁には大きな開口を有し、同開口は右方からボルト71により取り付けられる隔壁70により閉塞され、隔壁70の円筒部70ａをクランク軸40が貫通している。
【００３５】
ＡＣジェネレータ72は、隔壁70の円筒部70ａを貫通したクランク軸40の右端部にＡＣＧボス73を介して碗状のアウタロータ74が固着され、その内周面に周方向に亘って配設される磁石75の内側にステータコイル77の巻回されたインナステータ76が隔壁70の円筒部70ａに固定されている。
【００３６】
アウタロータ74の右側面には中央が膨出して円板状をしたファン基板78ａが取り付けられており、ファン基板78ａには右方に突出して複数のラジエータファン78が形成されている。
【００３７】
ＡＣジェネレータ72のアウタロータ74の外周は、右クランクケース31Ｒの側壁から右方に延出した周壁31Rsに概ね囲繞され、ラジエータファン78の外周はシュラウド90により囲繞され、ラジエータファン78の右方にはラジエータ80が近接して設けられ、ラジエータ80はルーバ付きのラジエータカバー81で覆われている。
【００３８】
図６を参照して、右クランクケース31Ｒと隔壁70との間にポンプ駆動軸62を回転自在に架設してオイルポンプ61が設けられており、ポンプ駆動軸62に嵌着された被動ギヤ63が、前記カムチェーン駆動スプロケット55ａと一体に形成されたオイルポンプ駆動ギヤ55ｂと噛合している。
【００３９】
右クランクケース31Ｒには、オイルポンプ61から下方にオイル通路64ａが延出しており、同オイル通路64ａの途中から左方に水平オイル通路64ｂが左クランクケース31Ｌまで水平に延びてオイルフィルタ65が嵌挿される径が拡大した嵌挿孔64ｃに至っている。
オイルフィルタ65は、有底円筒状をしたメッシュフィルタであり、左クランクケース31Ｌの左外側面に開口した嵌挿孔64ｃに嵌挿され、左右水平方向に指向する水平オイル通路64ｂの左端を蓋するようにして水平オイル通路64ｂを外部と仕切っている。
【００４０】
水平オイル通路64ｂの下方は、オイル溜まり64ｅとなっており、オイル溜まり64ｅの天井壁に嵌挿孔64ｃに連通する切欠き64ｄが形成されている。
嵌挿孔64ｃの開口には、給油筒66がその端部開口を連結して設けられる。
給油筒66は、有底円筒状のオイルフィルタ65の外径より小さい内径の給油通路67が形成された水平筒部66ａと水平筒部66ａから屈曲して斜め上方に延びる傾斜筒部66ｂとからなり、水平筒部66ａを左右方向に指向させてオイル通路64ｂの端部の嵌挿孔64ｃに端部を嵌合している。
【００４１】
給油筒66の水平筒部66ａが嵌挿孔64ｃの開口に嵌合することで、オイルフィルタ65の外周に周設されたコイルスプリング65ｓがその一端を規制されて他端がオイルフィルタ65の開口端部のフランジを水平オイル通路64ｂの開口端面に押し付け固定し、隙間が生じるのを防止している。
【００４２】
給油筒66の傾斜筒部66ｂの若干径が大きく拡大した上端開口部66ｃが給油口となっており、その上端開口部66ｃにオイルフィラーキャップ68がねじ嵌合して給油通路67を液密に閉塞することができる。
オイルフィラーキャップ68には、給油通路67内に延びるディップスティックゲージ69が突設されており、ディップスティックゲージ69の先端のゲージ部がオイルの油面下に没してゲージ部に油量を印す。
【００４３】
オイルフィラーキャップ68を外せば給油筒66の給油口からクランクケース31内に潤滑オイルを給油することができる。
クランク軸40の回転により駆動ギヤ55ｂと被動ギヤ63の噛合を介してオイルポンプ61が駆動されると、オイル溜まり65ｅに溜まったオイルは、オイルフィルタ65を通って浄化されて汲み上げられ、オイルポンプ61から内燃機関30の所要箇所に供給される。
【００４４】
本４サイクル内燃機関30は、ＳＯＨＣ型式のバルブシステムを採用しており、シリンダヘッドカバー34内には動弁機構50が設けられ、同動弁機構50に動力伝達を行うカムチェーン51がカムシャフト53とクランク軸40との間に架設されており、そのためのカムチェーン室52が、右クランクケース31Ｒ，シリンダブロック32，シリンダヘッド33に連通して設けられている（図５参照）。
【００４５】
すなわち左右水平方向に指向したカムシャフト53の右端に嵌着された被動カムチェーンスプロケット54と、クランク軸40に嵌着された前記駆動カムチェーンスプロケット55ａとの間にカムチェーン51がカムチェーン室52内を通って架渡されている。
【００４６】
一方、シリンダヘッド33においてカムチェーン室52と反対側（左側）から燃焼室33ａに向かって点火プラグ45が嵌挿されている（図２，図５参照）。
また、シリンダブロック32の同じ左側側面には支持ブラケット28を介して点火コイル29が取り付けられている（図２，図３参照）。
【００４７】
図４を参照して、大きく前傾したシリンダヘッド33の燃焼室33ａから吸気ポート33ｉが上方に湾曲して延出し前記吸気管23に連結され、燃焼室33ａから排気ポート33ｅが下方に湾曲して延出し前記排気管26に連結される。
【００４８】
図４に示すように、シリンダヘッドカバー34内の動弁機構50は、シリンダが水平に近い状態にまで大きく前傾しているので、吸気ポート33ｉの燃焼室33ａへの開口を開閉する吸気バルブ56ｉがカムシャフト53の上方に配設され、排気ポート33ｅの燃焼室33ａへの開口を開閉する排気バルブ56ｅがカムシャフト53の下方に配設されている。
【００４９】
カムシャフト53は、シリンダヘッド33の左側壁とカムチェーン室52を構成する内側壁33ｃにベアリング53ｂ，53ｂを介してカムシャフトホルダ53hl，53hrに挟まれて回転自在に軸支され、右側のベアリング53ｂより突出した右端に被動カムチェーンスプロケット54が嵌着されている。
【００５０】
図４に示すように、カムシャフト53の前方の斜め上下位置にそれぞれ配置される吸気用ロッカシャフト57と排気用ロッカシャフト59が、図７および図８に示すように左右のカムシャフトホルダ53hl，53hr間に架設されている。
カムシャフトホルダ53hl，53hrはシリンダヘッド33，シリンダブロック32とともにクランクケース31に４本のスタッドボルト110への各ナット111の螺着により一体に締結される（図７参照）。
【００５１】
吸気用ロッカシャフト57と排気用ロッカシャフト59は、互いに上下位置にあり、上側の吸気用ロッカシャフト57に揺動自在に枢着された吸気ロッカアーム58の一端に軸支されたローラ58ｒがカムシャフト53の吸気カム53ｉに接し、他端に螺合された調整ねじ58ｓが吸気バルブ56ｉのバルブステムの端部に接する（図４参照）。
【００５２】
同様に、下側の排気用ロッカシャフト59に揺動自在に枢着された排気ロッカアーム60の一端に軸支されたローラ60ｒがカムシャフト53の排気カム53ｅに接し、他端に螺合された調整ねじ60ｓが排気バルブ56ｅのバルブステムの端部に接する（図４参照）。
したがって、カムシャフト53の回転により吸気カム53ｉと排気カム53ｅがそれぞれ吸気ロッカアーム58と排気ロッカアーム60を揺動して所定のタイミングで吸気バルブ56ｉと排気バルブ56ｅの開閉動作を行わせる。
【００５３】
このような動弁機構50には、デコンプ装置100がカムシャフト53に設けられている。
図８を参照して、デコンプ装置100はカムシャフト53の左端部を軸支する左側ベアリング53ｂとカムシャフト53の排気カム53ｅとの間において、排気カム53ｅの側面と左側ベアリング53ｂに当接したワッシャ108との間に挟まれて位置決めされたデコンプウエイト101が、排気カム53ｅに突設された支軸102に片持ちで軸支されて排気カム53ｅの側面に沿って揺動自在に設けられており、排気カム53ｅのカム面に出没自在に回動するデコンプカム105がデコンプウエイト101に突設された作動ピン104により作動される。
【００５４】
図９および図１０は、デコンプ装置100の動作を説明するために要部を抽出して示した左側面図であり、図９はカムシャフト53が停止または低速回転しているときを示しており、図１０はカムシャフト53が所定回転速度を超えているときの状態を示している。
デコンプウエイト101は、Ｃ字形状をしてカムシャフト53を囲み、排気カム53ｅの側面に突設された支軸102に基端が軸支されて排気カム53ｅの側面に沿って揺動可能である。
【００５５】
デコンプウエイト101は、支軸102よりも先端と反対側に若干延びた延出部101ａを有し、カムシャフト53に出没自在に嵌合された押圧部材107ａをスプリング107ｓにより突出方向に付勢する付勢手段107が設けられ、同付勢手段107の押圧部材107ａがデコンプウエイト101の延出部101ａに当接して押圧しデコンプウエイト101をカムシャフト53に近づける方向に付勢している。
【００５６】
デコンプウエイト101の先端側所定位置には排気カム53ｅに向けて作動ピン104が突設されている。
また、排気カム53ｅの側面にはカム小径部の所定箇所に円孔が掘削されて円柱状のデコンプカム105が回動自在に嵌合しており、それも同デコンプカム105の一部が排気カム53ｅのカム小径部のカム面から突出可能に嵌合している。
【００５７】
同デコンプカム105はデコンプウエイト101側の左側面に径方向に長い長溝105が形成されており、前記デコンプウエイト101に突設された作動ピン104が同長溝105に挿入されて係合しており、したがってデコンプウエイト101の揺動によりデコンプウエイト101と一体の作動ピン104が長溝105との係合を介してデコンプカム105を回動させる。
【００５８】
また、同デコンプカム105の右側面には、切欠き105ｂが形成されており、デコンプカム105の回動により、切欠き105ｂがカム面に向いていないときはデコンプカム105は排気カム53ｅのカム面から突出しており（図９参照）、切欠き105ｂがカム面に向いているときはデコンプカム105は切欠き105ｂによりカム面から突出していない（図１０参照）。
【００５９】
いま、内燃機関30の始動時の機関回転速度が低速のとき、カムシャフト53も低速回転で、図９に示すように、デコンプウエイト101の遠心力による揺動が小さく、付勢手段107により付勢されたデコンプウエイト101はカムシャフト53の近くにあって、デコンプウエイト101に突設された作動ピン104は、デコンプカム105を切欠き105ｂがカム面に向かない位置にしているので、デコンプカム105は排気カム53ｅのカム面から突出した状態にあり、よって圧縮行程時にカム面から突出したデコンプカム105が排気ロッカアーム60のローラ60ｒを押し上げ（図９に示す状態）、排気バルブ56ｅを開弁し圧縮圧力を低減して始動を容易にすることができる。
【００６０】
内燃機関30が始動した後、機関回転数が上昇すると、カムシャフト53も所定回転速度を超え、図１０に示すように、デコンプウエイト101の遠心力による揺動が大きく、付勢手段107に抗してデコンプウエイト101はカムシャフト53から離れる方向に揺動し、作動ピン104は、デコンプカム105を切欠き105ｂがカム面に向かう位置に回動し、デコンプカム105は切欠き105ｂにより排気カム53ｅのカム面から突出していない状態となり、よって圧縮行程時にも排気ロッカアーム60のローラ60ｒを押し上げず（図１０に示す状態）、排気バルブ56ｅは閉弁でき、デコンプ解除状態とする。
【００６１】
本デコンプ装置は、排気カム53ｅの側面に沿って揺動可能にデコンプウエイト101が支軸102により片持ち軸支されるので、両持ちで軸支する場合の一方の軸支持部材が必要なく、軸方向幅をコンパクト化することができるとともに、デコンプウエイト101はカムシャフト53の支持ベアリング53ｂに当接するワッシャ108と排気カム53ｅとの間に挟まれて位置決めされるので、デコンプウエイト101のガタつきを防止してデコンプ装置100の作動性を良好に維持することができる。
【００６２】
図８を参照して、デコンプウエイト100は、左側カムシャフトホルダ53hlの直下に配設され、カムシャフト53の軸方向である左右方向におけるシリンダボアの左右幅内に配置される。
したがって、シリンダヘッド33の左右幅を抑えて小型化を図ることができる。
【００６３】
以上のデコンプ装置100が、カムシャフト53の左端近傍に設けられているのに対して、カムシャフト53の右端部には、被動カムチェーンスプロケット54がボルト109により固着され、カムシャフト53のさらに右側延長部にウォータポンプ120が設けられている（図７、図８参照）。
【００６４】
図８を参照して、カムシャフト53は、矢印で示すように右側から左方に向かって挿通されるもので、このカムシャフト挿通方向の先端側からデコンプウエイト100，排気カム53ｅ，吸気カム53ｉ，被動カムチェーンスプロケット54の順に配列される。
デコンプウエイト100は、シリンダ軸線Ｌｃを挟んでカムチェーンスプロケット54の反対側で、かつカムシャフト53の挿通方向の先端に配置されるので、カムシャフト53の組付性を向上させることができる。
【００６５】
シリンダヘッド33の右側面には円開口が形成され、同円開口に環状のシールリング部材128が嵌着されており、ウォータポンプ120の円筒形状をしたウォータポンプボディ121が同シールリング部材128に水密に嵌入されて支持されている。
【００６６】
図８および図１１、図１２を参照して、ウォータポンプ120のウォータポンプボディ121は、ポンプ駆動軸123をベアリング125を介して回転自在に軸支する軸方向に長尺の長尺円筒部121ａと、その一方の開口端を径方向に延出しウォータポンプ駆動軸123に嵌着されるインペラ124を部分的に収容する径方向に拡大し軸方向に短尺の短尺円筒部121ｂとからなり、長尺円筒部121ａがウォータポンプ駆動軸123を前記カムシャフト53と同軸にしてシリンダヘッド33の右側壁にシールリング部材128を介して嵌入されて固着され、ポンプ駆動軸123の左端はカムシャフト53の右端面に穿設された嵌合穴に嵌入されて直結され同軸一体に回転するように構成される。
【００６７】
ウォータポンプボディ121の短尺円筒部121ｂの右開口を覆い短尺円筒部121ｂとともにインペラ124を収容するウォータポンプカバー122が、短尺円筒部121ｂの開口端面に重ね合わされる。
ウォータポンプボディ121の短尺円筒部121ｂの外周に４か所ボルト孔121ｈが形成され、ウォータポンプカバー122にもウォータポンプボディ121のボルト孔121ｈに対応して４か所ボルト孔122ｈが形成されている。
【００６８】
図８に示すように、シリンダヘッドカバー34の上部近くに位置するウォータポンプボディ121のボルト孔121ｈは雌ねじが刻設されており、対応するウォータポンプカバー122のボルト孔122ｈを貫通したボルト129ａがボルト孔121ｈに螺合して両者を締結する。
そして、他の３か所のボルト孔121ｈ，122ｈは、図７に示すように、シリンダヘッド33に対応して形成された取付ボス部33ｂに重ねられ、ボルト129ｂがボルト孔122ｈ，121ｈを貫通して取付ボス部33ｂの雌ねじ孔に螺合し、シリンダヘッド33にウォータポンプボディ121とウォータポンプカバー122とを共に締結してウォータポンプ120がシリンダヘッド33に取付けられる。
【００６９】
なお、ウォータポンプカバー122は、ウォータポンプ駆動軸123の右方に膨出した吸入ポート部122ａからシリンダヘッド33の右側面に沿ってクランク軸40の方向に水吸込み筒部122ｂが延出するとともに、インペラ124の外周囲の下部から接線方向で斜め後下方に吐出ポート部122ｃが延出し、図１１および図１２に示すように、吐出ポート部122ｃからさらに吐出接続管126が突設されている。
また、インペラ124の外周囲の上部にエア抜き部122ｄが形成されて、エア抜き部122ｄから斜め後上方にエア抜き接続管127が突設されている。
【００７０】
以上のように、シリンダヘッド33にデコンプ装置100とウォータポンプ120が設けられる。
カムシャフト53に固着されるカムチェーンスプロケット54に関してデコンプウエイト101と軸方向反対側のカムシャフト53の端部にポンプ駆動軸123を連結してウォータポンプ120が配設されるので、揺動するデコンプウエイト101とウォータポンプ120がカムチェーンスプロケット54に関して軸方向互いに反対側に位置して互いの干渉を考慮して間隔を空ける必要がなく、よってカムシャフト53にウォータポンプ120をコンパクトに配設してシリンダヘッド33の小型化を図ることができる。
【００７１】
本デコンプ装置100は、排気カム53ｅの側面に沿って揺動可能にデコンプウエイト101が支軸により片持ち軸支されるので、両持ちで軸支する場合の一方の軸支持部材が必要なく、軸方向幅をコンパクト化することができるとともに、デコンプウエイト101はカムシャフト53の支持ベアリング53ｂに当接するワッシャ108と排気カム53ｅとの間に挟まれて位置決めされるので、デコンプウエイト101のガタつきを防止してデコンプ装置100の作動性を良好に維持することができる。
【００７２】
本ウォータポンプ120は、ポンプボディ121が、ポンプ駆動軸123をベアリング125を介装して回転自在に軸支すべく円筒形状をして小型化することができ、この円筒形状のポンプボディ121が、シリンダヘッド33の側壁に嵌入されて支持されるので、ウォータポンプ120をシリンダヘッド33にコンパクトに取り付けることができる。
【図面の簡単な説明】
【００７３】
【図１】本発明の一実施の形態に係るスクータ型自動二輪車の全体側面図である。
【図２】パワーユニットの全体側面図である。
【図３】同パワーユニットの全体上面図である。
【図４】内燃機関の断面図（図３のIV−IV線断面図）である。
【図５】パワーユニットの断面図（図２のＶ−Ｖ線断面図）である。
【図６】同パワーユニットの断面図（図２のVI−VI線断面図）である。
【図７】シリンダヘッド内の動弁機構およびウォータポンプの上面図である。
【図８】同断面図である。
【図９】デコンプ装置の側面図である。
【図１０】別の状態における同デコンプ装置の左側面図である。
【図１１】ウォータポンプの左側面図である。
【図１２】同ウォータポンプの右側面図である。
【符号の説明】
【００７４】
20…パワーユニット、30…内燃機関、31…クランクケース、32…シリンダブロック、33…シリンダヘッド、34…シリンダヘッドカバー、40…クランク軸、
50…動弁機構、51…カムチェーン、52…カムチェーン室、53…カムシャフト、54…被動カムチェーンスプロケット、55ａ…カムチェーン駆動スプロケット、56ｅ…排気バルブ、56ｉ…吸気バルブ、58…吸気ロッカアーム、58ｒ…ローラ、60…排気ロッカアーム、60ｒ…ローラ、
100…デコンプ装置、101…デコンプウエイト、102…支軸、104…作動ピン、105…デコンプカム、107…付勢手段、108…ワッシャ、
120…ウォータポンプ、121…ウォータポンプボディ、121ａ…長尺円筒部、121ｂ…短尺円筒部、122…ウォータポンプカバー、123…ウォータポンプ駆動軸、124…インペラ、125…ベアリング、128…シールリング部材。
【図１】
0004933463.tif 000002
【図２】
0004933463.tif 000003
【図３】
0004933463.tif 000004
【図４】
0004933463.tif 000005
【図５】
0004933463.tif 000006
【図６】
0004933463.tif 000007
【図７】
0004933463.tif 000008
【図８】
0004933463.tif 000009
【図９】
0004933463.tif 000010
【図１０】
0004933463.tif 000011
【図１１】
0004933463.tif 000012
【図１２】
0004933463.tif 000013